(57)【要約】【課題】本発明は患部を持続的に温めることができ、治癒力が向上されて患部の症状を鎮痛化させることが期待出来るものとなると共に心地良い温かさがいつまでも得られ、且つ、任意に切断して使用しても簡単に患部の肌へ固定出来る発熱性包帯を提供することを目的とする。【解決手段】包帯本体１を、吸湿発熱繊維によって編み込まれた布地で作られたものと成す。また包帯本体１の表面に、熱発散防止用の外被２を重ねて設けたものとするのが好ましく、包帯本体１と外被２を、弾性を有した布地で作ると良い。更に包帯本体１の裏面の長手方向に、粘着部を筋状に設け、或いは包帯本体１の表裏面に、係止可能な凹凸部を形成させたものとするのが良い。【選択図】図２
2013233239.tif 000002
【特許請求の範囲】
【請求項１】
少なくとも包帯本体（１）が、吸湿発熱繊維によって編み込まれた布地であることを特徴とする発熱性包帯。
【請求項２】
前記包帯本体（１）の表面に、熱発散防止用の外被（２）が重ねて設けられた請求項１記載の発熱性包帯。
【請求項３】
前記包帯本体（１）と前記外被（２）が、弾性を有した布地である請求項２記載の発熱性包帯。
【請求項４】
前記包帯本体（１）の裏面の長手方向に、粘着部（３）が筋状に設けられた請求項１、２又は３記載の発熱性包帯。
【請求項５】
前記包帯本体（１）の表裏面に、係止可能な凹凸部（４）が形成された請求項１、２又は３記載の発熱性包帯。
【発明の詳細な説明】
【技術分野】
【０００１】
本発明は心地良い温かさで常時患部を直接温める発熱性包帯に関する。
【背景技術】
【０００２】
一般に包帯は、損傷の手当て，火傷の手当て，手術後の手当て等で使用される。又、傷や腫物などの患部の状態に応じて温める場合や冷やす場合もあった。患部を冷やす際には保冷剤や氷などを用いる場合が多く、一方、患部を温める際には、ベンゼンやアルコールなどの燃料を燃焼させるカイロのようなもの、或いは酸化可能な金属パウダーと活性化炭素パウダーの混合物を袋に詰めたものなどが使用されている。
【０００３】
しかしながら、患部を冷やすもの及び温めるものは、持続時間が短く、いつまでもその状態を保持することは困難であった。特に患部を温める場合には、上記のものを使用すると、温度が高くなり過ぎて火傷し易くなるため、その発熱源の表面に布を巻いて温める温度が高くならないように調整する必要があると共に持続時間が短いため、新たなものを用意して所定時間（持続時間）毎に交換しなければならならず面倒であった。
【０００４】
このため、簡単に温めることが出来るものとして、特願２００１ー５０８９１１（特許出願公表番号２００４−５１０４５４）「発熱性包帯」が提案されている。これは、酸素不透過性の層と、水不透過性の層と、発熱要素の層とを備え、発熱要素の層が酸化可能な材料を含み、その発熱要素の層が酸素不透過性の層との間に配置され、更に活性剤を含む活性剤層を備え、水不透過性の層が発熱要素の層と活性剤層との間に配置された多層型発熱性包帯であった。前記発熱要素の層は、空気中の酸素と接触した時に活性化する炭素，鉄，水，塩により構成されている発熱性の媒体を含有している。更に前記発熱性包帯は発熱及び表面温度を調整するための要素が備えられている。この目的は、薬物の皮膚浸透性を増加させて、使用者の皮膚による薬物吸収速度を高めるためのものであった。
【０００５】
しかしながら、特願２００１ー５０８９１１は、発熱の持続時間がいつまでも保持することは困難であると共に構造が複雑であるので高価なものであり、更に通気性が殆どなく、蒸れる恐れがあるため、殆ど普及していないのが現状である。
【先行技術文献】
【特許文献】
【０００６】
【特許文献１】特願２００１ー５０８９１１（特許出願公表番号２００４−５１０４５４）公報
【発明の概要】
【発明が解決しようとする課題】
【０００７】
本発明は患部を持続的に温めて治癒力を向上させると共に心地良い温かさが得られる発熱性包帯を提供することを目的とする。
【０００８】
本発明の他の目的は、任意に切断して使用しても簡単に患部の肌へ固定出来る発熱性包帯を提供するにある。
【課題を解決するための手段】
【０００９】
本発明は上記現状に鑑みて成されたものであり、つまり、少なくとも包帯本体を、吸湿発熱繊維によって編み込まれた布地で作られたものと成す。また包帯本体の表面に、熱発散防止用の外被を重ねて設けたものとするのが好ましく、包帯本体と外被を、弾性を有した布地で作ると良い。更に包帯本体の裏面の長手方向に、粘着部を筋状に設け、或いは包帯本体の表裏面に、係止可能な凹凸部を形成させたものとするのが良い。尚、本発明で言う「包帯本体の表面」及び「包帯本体の裏面」とは、長尺な包帯本体を巻回した際の表面と裏面を指すものとする。又、本発明で言う「包帯」には、長尺な帯状のもの以外に、四角形状のガーゼも含むものとする。
【発明の効果】
【００１０】
請求項１のように少なくとも包帯本体（１）が、吸湿発熱繊維によって編み込まれた布地と成すことにより、血行が良好となるため、治癒力を向上させると共に心地良い温かさが得られるものとなる。更に従来の発熱要素の如く低温火傷する心配は全くなく、患部を常時温めることが可能となるため、従来の温湿布が施されていた症状、例えば、うずき，筋肉や関節の硬直，神経痛，リウマチ，関節炎，痛風等を鎮痛する役目の援助が可能なものとなる。
【００１１】
請求項２のように包帯本体（１）の表面に、熱発散防止用の外被（２）を重ねて設けることにより、吸湿発熱された熱が外部へ発散しにくくなるため、患部の血行がより良好なものとなると共に心地良い温かさが常時確保できるものとなる。
【００１２】
請求項３に示すように包帯本体（１）と外被（２）が、弾性を有した布地でつくられることにより、包帯本体（１）が患部に密着して接触されるため、患部を安定して温めることが出来るものとなり、従来の温湿布が施されていた症状に対して、鎮痛する役目の援助が請求項２のものよりも有効なものとなる。しかも包帯本体（１）のずれが殆んどないものとなる。
【００１３】
請求項４に示すように包帯本体（１）の裏面の長手方向に、粘着部（３）を筋状に設けることにより、従来の如き包帯本体（１）の端部同志をしばる必要がなくなると共に固定具などを用いて固定する必要もなくなるため、包帯本体（１）を任意に切断して使用しても簡単に患部へ固定出来るものとなる。
【００１４】
請求項５のように包帯本体（１）の表裏面に、係止可能な凹凸部（４）を形成させることにより、包帯本体（１）同志を重ねて押圧するだけで、簡単に患部へ固定出来るものとなるため、包帯本体（１）の端部同志を結ぶ従来の如き作業は不要なものとなる。
【図面の簡単な説明】
【００１５】
【図１】本発明の実施形態の断面を示す説明図である。
【図２】本発明の他の実施形態の断面を示す説明図である。
【図３】本実施形態の粘着部の断面を示す説明図である。
【図４】本発明の別実施形態の凹凸部の断面を示す説明図である。
【発明を実施するための形態】
【００１６】
本発明の実施形態を図１に基づいて説明する。（１)は患部を巻き付けて覆うための包帯本体であり、該包帯本体（１）は、吸湿発熱繊維によって編み込まれた柔軟で弾性を有する布地を使用する。また前記包帯本体（１）の吸湿発熱繊維としては、湿気を吸って熱を出し、心地良い温度が確保されるものである。前記吸湿発熱繊維やその布地としては、例えば、東洋紡ＡＰ事業部製のモイスケア（登録商標名）や、ユニクロ製のヒートテック（登録商標名）と同質材料などを用いるのが好ましい。尚、前記吸湿発熱繊維やその布地の代りに、遠赤外線放射繊維やその布地を使用しても良い。又、前記包帯本体（１）は、通気性や吸湿発熱機能を有した不織布を用いても良い。
【００１７】
図２は本発明の他の実施形態を示す図であり、この図に基づいて説明する。これは前記実施形態に比べ、包帯本体（１）の表面に外被（２）が重ねて設けられており、該外被（２）は熱発散防止用の役目を果たすもので、且つ、通気性のあるものであれば布地以外のものでも良い。他は同一である。
【００１８】
図３は本実施形態の粘着部の断面を示す図であり、この図に基づいて説明する。これは図１の実施形態に比べ、包帯本体（１）の裏面の長手方向に、粘着部（３）が筋状に設けられており、該粘着部（３）は包帯本体（１）を任意に切断して使用しても簡単に患部へ固定出来るものとなる。また前記粘着部（３）は肌に触れても発疹や炎症を起こさない包帯で用いられているものと同様のものを用いれば良い。この粘着部（３）は、図３に示す如く幅方向の両端部に細めの筋形状として設け、包帯本体（１）の幅が広い場合には幅方向の両端部以外に中央或いは適宜間隔で細めの筋形状のものを設け、３本以上の筋形状を設けたものとしても良い。前記粘着部（３）は、筋幅を狭くして、包帯本体（１）の通気性を確保させるのが好ましい。他は同一である。
【００１９】
図４は本発明の別実施形態の凹凸部の断面を示す説明図であり、この図に基づいて説明する。これは図１の実施形態に比べ、包帯本体（１）の表裏面に、係止可能な凹凸部（４）が形成されたものである。この凹凸部（４）は吸湿発熱繊維を布地に織り込む時に形成されるものであり、例えば、販売元住友スリーエム株式会社の自着性伸縮包帯（ライトブラウン）や、ニチバン株式会社製の自着性伸縮包帯と同様な凹凸が形成されて係止可能に織り込まれた布地を用いるのが好ましい。この布地は包帯本体（１）同志を重ねて押圧すると、係止して固定出来るものであれば良い。他は同一である。尚、前記凹凸部（４）は表面同志及び表面と裏面とでも係止可能なものを用いるのが好ましい。
【００２０】
次に本発明の作用について説明する。先ず始めに図１に示す断面を有する発熱性包帯を、従来の包帯と同様に患部へ巻き付ける。すると発熱性包帯の布地に弾性があれば、患部に密着し、その部位の肌の湿気を吸収して熱が生じる。この熱によって患部が温められると共に常時気持ちの良い温度で温めることが可能となり、且つ、低温火傷せずに血流が良好となり、治癒力を向上させることによって、患部の症状を鎮痛化させることが期待出来るものとなるのである。この時、図２に示す断面を有する発熱性包帯を用いると、肌の湿気を吸収して生じた熱が有効に患部を温められると共に低温火傷せずに常時気持ちの良い温度で温めることが可能となる。又、包帯本体（１）を患部以外の部位、例えば、肩や膝或いは手足などに巻き付けることにより、各部位が温められるため、各部位の血行が良くなると共に冬場に於いては、温かく気持ちの良い状態が持続され、患部を覆う役目の包帯以外にも使用出来る重宝なものとなるのである。尚、前記包帯本体（１）を四角形状に切断してガーゼとして使用しても良い。このガーゼを部位に当てて固定すれば、上記同様に患部が温められると共に常時気持ちの良い温度で温めることが可能となる。
【００２１】
次に図３に示す断面を有する発熱性包帯の作用について説明する。上記同様に先ず始めに患部へ巻き付ける。この時、包帯本体（１）を患部に巻き付ける際に、その包帯本体（１）の端部同志を結ばずに、端部同志を接触或いは重ねるだけで、包帯本体（１）は患部を覆って固定される。更に前記患部へ巻き付けずに、患部を覆うだけで、包帯本体（１）の粘着部（３）が肌に貼り付いて固定されるものとなるため、包帯本体（１）の固定が極めて簡単なものとなる。
【００２２】
更に図４に示す断面を有する発熱性包帯の作用について説明する。上記同様に先ず始めに患部へ巻き付ける。この時、包帯本体（１）を患部に巻き付ける際に、その包帯本体（１）の端部同志を結ばずに、端部を包帯本体（１）に重ねて押圧するだけで、面ファスナーの如く包帯本体（１）は患部を覆って固定されるものとなる。このため、図３の包帯本体（１）の固定と同様に極めて簡単なものとなる。
【符号の説明】
【００２３】
１  包帯本体
２  外被
３  粘着部
４  凹凸部
【図１】
2013233239.tif 000003
【図２】
2013233239.tif 000004
【図３】
2013233239.tif 000005
【図４】
2013233239.tif 000006